(57)【要約】【課題】  コネクタの周囲に配置される部品を利用して、ケーブル側コネクタが基板側コネクタに接続された位置から引き抜き方向に変位できないような構造を提供することを課題とする。【解決手段】  ケーブル側コネクタ２４は基板側コネクタ２２に差し込まれて接続される。ケーブル側コネクタ２４は、整列した複数の接続ケーブル１６の一端側に設けられる。基板側コネクタ２２にケーブル側コネクタ２４が接続された状態で、ケーブル側コネクタ２４に沿って近接した位置に配置される部品４０，１４ａから、ケーブル側コネクタ２４の差し込み方向後ろ側端部に対向する位置に、一対の突出部４２が突出する。【選択図】  図３
2014119899.tif 000002
【特許請求の範囲】
【請求項１】
基板に取り付けられた基板側コネクタと、
整列した複数の接続ケーブルの一端側に設けられ、前記基板側コネクタに差し込まれて接続されるケーブル側コネクタと、
前記基板側コネクタに前記ケーブル側コネクタが接続された状態で、前記ケーブル側コネクタに沿って近接した位置に配置される部品と、
前記部品から前記ケーブル側コネクタの差し込み方向後ろ側端部に対向する位置に突出する一対の突出部と
を有する電子装置。
【請求項２】
請求項１記載の電子装置であって、
前記突出部の一方は、前記ケーブル側コネクタの差し込み方向後ろ側端部の一端側に近接して配置され、前記突出部の他方は、前記ケーブル側コネクタの差し込み方向後ろ側端部の他端側に近接して配置される電子装置。
【請求項３】
請求項１又は２記載の電子装置であって、
前記部品は、前記基板に搭載された電気部品を保護する絶縁シートである電子装置。
【請求項４】
請求項１又は２記載の電子装置であって、
前記部品は、前記基板を覆うカバーである電子装置。
【請求項５】
コネクタが搭載された基板を覆うように配置される絶縁シートであって、
前記コネクタを覆う部分に、前記コネクタの差し込み方向後ろ側端部に対向する位置に突出する一対の突出部が設けられた絶縁シート。
【発明の詳細な説明】
【技術分野】
【０００１】
実施形態は、内部にコネクタを有する電子装置、及び電子装置内の電子部品を保護する絶縁シートに関する。
【背景技術】
【０００２】
ノートパソコン等の液晶ディスプレイ装置（ＬＣＤ）を用いた電子装置において、電子装置の主回路基板とＬＣＤ回路基板とを多数の接続ケーブル（リードワイヤ）で接続する場合が多い。接続ケーブルをＬＣＤ回路基板に取り外し可能に接続するために、コネクタが用いられる。コネクタはＬＣＤ回路基板に実装された基板側コネクタと接続ケーブルの端部に取り付けられたケーブル側コネクタとを含む。接続ケーブルのケーブル側コネクタを、ＬＣＤ回路基板に実装されている基板側コネクタに差し込むことで、接続ケーブルの各々は、ＬＣＤ回路基板に電気的且つ機械的に接続される。
【０００３】
電子機器の小型化、薄型化に伴い、このようなコネクタにも小型化、薄型化が求められている。コネクタの接続を確実に保持するためには、抜け止め機構（固定機構あるいはロック機構）が設けられたコネクタを用いることが好ましいが、抜け止め機構を設けるとコネクタの小型化、薄型化が阻害されてしまう。そこで、コネクタの部品を工夫して抜け止め機構をコネクタに組み込むことが提案されている（例えば、特許文献１，２参照）。
【先行技術文献】
【特許文献】
【０００４】
【特許文献１】特開２００６−４７２３号公報
【特許文献２】特開２００７−２５０４８８号公報
【発明の概要】
【発明が解決しようとする課題】
【０００５】
上述の接続ケーブルをＬＣＤ回路基板に取り外し可能に接続するためのコネクタは、平面状に整列した多数の接続ケーブル（リードワイヤ）を接続するためのコネクタであり、薄い平板状のコネクタとなる。ケーブル側コネクタは、多数の細い接続ケーブルが横一列に並んだ状態でその先端がケーブル側コネクタに取り付けられた形状となる。したがって、ケーブル側コネクタは、接続ケーブルが横一列に並んだ分以上の幅を有する平面状の部品となる。ケーブル側コネクタが形成する平面をコネクタ平面と称する。
【０００６】
ここで、上述のように、コネクタを小型化、薄型化するために、ケーブル側コネクタに抜け止め機構が設けられていない場合が多い。このような場合には、ケーブル側コネクタを基板側コネクタに接続した後に、コネクタを覆うように粘着テープを貼り付けてコネクタの接続状態を保持している。しかし、粘着テープの粘着力では、コネクタの接続状態を維持するには不十分な場合がある。
【０００７】
例えば、電子装置の使用中や運搬中における接続ケーブルの振動や変位により、コネクタ平面内でコネクタ挿入接続方向に対して傾いた外力がコネクタに加わることがある。ケーブル側コネクタが基板側コネクタに対してコネクタ平面内で傾くと、ケーブル側コネクタの左右端部の一方が基板側コネクタから僅かに離間したような状態となる。このような状態では、ケーブル側コネクタの離間した側でのコネクタ端子の電気的接続が不完全となり、接続不良となってしまう。
【０００８】
そこで、本発明の一実施形態は、コネクタの周囲に配置される部品を利用して、ケーブル側コネクタが基板側コネクタに接続された位置から引き抜き方向に変位できないような構造を提供することを目的とする。
【課題を解決するための手段】
【０００９】
一実施態様によれば、基板に取り付けられた基板側コネクタと、整列した複数の接続ケーブルの一端側に設けられ、前記基板側コネクタに差し込まれて接続されるケーブル側コネクタと、前記基板側コネクタに前記ケーブル側コネクタが接続された状態で、前記ケーブル側コネクタに沿って近接した位置に配置される部品と、前記部品から前記ケーブル側コネクタの差し込み方向後ろ側側面に対向する位置に突出する一対の突出部とを有する電子装置が提供される。
【発明の効果】
【００１０】
一実施形態によれば、ケーブル側コネクタの近傍に配置される部材から突出する突出部がケーブル側コネクタの後端に当接するため、ケーブル側コネクタの引き抜き方向の変位が防止される。
【図面の簡単な説明】
【００１１】
【図１】一実施形態による電子装置の一例であるノートパソコンの斜視図である。
【図２】ノートパソコンをＬＣＤ画面側から見た斜視図である。
【図３】表示部の内部を示す斜視図である。
【図４】絶縁シートの平面図である。
【図５】絶縁シートがＬＣＤ回路基板の上に配置された状態のＬＣＤユニットの内部を示す平面図である。
【図６】図５において二点鎖線で囲まれた部分を拡大して示す拡大図である。
【図７】絶縁シートのコネクタカバー部をめくり上げた状態を示す斜視図である。
【図８】表示部のカバーをＬＣＤユニットに取り付ける前の状態を示す斜視図である。
【図９】図８における二点鎖線で囲んだ部分を拡大して示す拡大図である。
【図１０】絶縁シートの変形例におけるコネクタカバー部を拡大して示す平面図である。
【図１１】絶縁シートの他の変形例を示す平面図である。
【図１２】図１１に示す絶縁シートがＬＣＤ回路基板の上に配置された状態を示す斜視図である。
【図１３】絶縁シートのさらに他の変形例を示す斜視図である。
【図１４】図１３における二点鎖線で囲んだ部分を拡大して示す拡大図である。
【図１５】図１３に示す絶縁シートがＬＣＤ回路基板の上に配置された状態を示す斜視図である。
【図１６】図１５における二点鎖線で囲んだ部分を拡大して示す拡大図である。
【図１７】第２実施形態によるノートパソコンの表示部の分解斜視図である。
【図１８】図１７に示すＬＣＤ回路基板にカバーが組み付けられて形成された表示部の斜視図である。
【発明を実施するための形態】
【００１２】
次に、実施形態について図面を参照しながら説明する。
【００１３】
図１は第１実施形態による電子装置の一例であるノートパソコンの斜視図である。ノートパソコン１０は、主回路基板１２ａ及び様々な機能部品が収容された本体部１２と、液晶表示装置（ＬＣＤ）が設けられた表示部１４とを有する。表示部１４は本体部１２に対して回動可能に取り付けられる。図１では本体部１２に対して表示部１４が回動した位置にある。また、図１において、本体部１２の上面が取り除かれて内部が見えている状態が示されている。
【００１４】
図１において点線で示すように、表示部１４の内部において、本体部１２の主回路基板１２ａから延在する接続ケーブル１６がコネクタ２０によりＬＣＤ回路基板（図示せず）に接続される。
【００１５】
図２はノートパソコン１０をＬＣＤ画面側から見た斜視図である。図２において、図１と同様に、本体部１２の上面が取り除かれて内部が見えている状態が示されている。一端がコネクタ２０でＬＣＤ回路基板に接続されている接続ケーブル１６の反対端は、コネクタ１２ｂを介して主回路基板１２ａに接続されている。
【００１６】
接続ケーブル１６は、表示部１４を可能に支持するヒンジ部１８を通って本体部１２の内部から表示部１４の内部に延在する。したがって、表示部１４が回動する際に、ヒンジ部１８において接続ケーブル１６が変位又は移動し、接続ケーブル１６の一端に接続されているコネクタ２０に外力が作用するおそれがある。このような外力は、ＬＣＤ側のコネクタ２０を離脱させるような力となり得る。そこで、本実施形態では、表示部１４の内部の構造を利用して、接続された状態のコネクタ２０を接続状態に保持する機構を形成している。
【００１７】
図３は表示部１４の内部を示す斜視図であり、表示部１４の外側表面となるカバー１４ａが取り外された状態が示されている。また、図３において、ＬＣＤ回路基板の上面に配置される絶縁シート４０が取り外された状態が示されている。
【００１８】
表示部１４の内部には、ＬＣＤユニット３０が収容される。ＬＣＤユニット３０は、ＬＣＤ３２と、その裏側の一部に設けられたＬＣＤ回路基板３４とを有する。ＬＣＤ回路基板３４には、コネクタ２０を介して接続ケーブル１６が接続される。
【００１９】
コネクタ２０は、ＬＣＤ回路基板３４の側端部の切り欠き内に埋め込まれるようにして取り付けられた基板側コネクタ２２と、接続ケーブル１６の一端側に接続されたケーブル側コネクタ２４とよりなる。ケーブル側コネクタ２４を基板側コネクタ２２に差し込むことで、コネクタ２０は接続状態となり、接続ケーブル１６はＬＣＤ回路基板３４の回路に電気的に接続される。
【００２０】
図３には、ケーブル側コネクタ２４が基板側コネクタ２２に差し込まれて、コネクタ２０が接続状態となっている状態が示されている。本実施形態では、コネクタ２０の接続状態を維持するために、絶縁シート４０に突出部を設けて、ケーブル側コネクタ２４の抜け止めとしている。
【００２１】
絶縁シート４０は、ＬＣＤ回路基板３４上に形成された回路を保護するためにＬＣＤ回路基板３４を覆うように設けられるシートである。絶縁シート４０は、電気的絶縁性を有する薄い板状の部材であり、例えばポリエチレン（ＰＥＴ）フィルムをＬＣＤ回路基板３４を覆うような形状に加工したシートである。絶縁シート４０は、ＬＣＤ回路基板３４の上又は近傍に設けられた部材に相当する。
【００２２】
本実施形態では、接続状態のコネクタ２０を覆うようなコネクタカバー部４０ａが絶縁シート４０に設けられている。そして、コネクタカバー部４０ａに２個のスペーサ４２が取り付けられている。スペーサ４２はケーブル側コネクタ２４の抜け止めとして機能する突出部の一例である。
【００２３】
図４は絶縁シート４０の平面図である。絶縁シート４０のコネクタカバー部４０ａは、絶縁シート４０をＬＣＤ回路基板３４上に配置した際に、コネクタ２０に対向する位置に配置されるように、略長方形の絶縁シート４０の一部が張り出した形状の部分である。コネクタカバー部４０ａの両側縁４０ｂから延在する切れ込み４０ｃが形成されている。切れ込み４０ｃは、後述するようにコネクタカバー部４０ａをコネクタ２０から離間する方向に持ち上げることができるように設けられる。コネクタカバー部４０ａの前縁４０ｄは、基板側コネクタ３２に接続された状態のケーブル側コネクタ２４よりも突出するような位置となる。
【００２４】
コネクタカバー部４０ａの左右の角部に、すなわち、前縁４０ｄと左右の側縁４０ｂの各々とで形成される角部に、上述のスペーサ４２が取り付けられる。スペーサ４２は、ケーブル側コネクタ２４の後端に当接してケーブル側コネクタ２４の抜け方向の変位（移動）を阻止するための部材であり、例えば硬質ゴムや樹脂で形成される。スペーサ４２は、例えば接着剤で絶縁シート４０に固定される。
【００２５】
図５は絶縁シート４０がＬＣＤ回路基板３４の上に配置された状態のＬＣＤユニット３０の内部を示す平面図である。図６は図５において二点鎖線で囲まれた部分を拡大して示す拡大図である。
【００２６】
上述のように、絶縁シート４０がＬＣＤ回路基板３４の上に配置された状態において、コネクタカバー部４０ａの角部に取り付けられたスペーサ４２は、ケーブル側コネクタ２４の後端の左右両側に当接するか近接した位置に配置される。これにより、ケーブル側コネクタ２４の抜け方向（図６における矢印Ａ方向）の変位（移動）がスペーサ４２により阻止される。
【００２７】
スペーサ４２は、ケーブル側コネクタ２４の後端側で、接続ケーブル１６が延在していない左右両側に対応した位置に取り付けられる。したがって、スペーサ４２は、ケーブル側コネクタ２４の後端側の左右両側の変位（移動）を阻止する。これにより、平面状に整列した接続ケーブル１６により、抜け方向から傾いた方向に外力が作用してケーブル側コネクタ２４が左右いずれかに傾くような外力が作用しても、傾いて変位しようとしている部分の近傍にスペーサ４２が配置されているので、ケーブル側コネクタ２４の傾きが阻止される。したがって、例えばケーブル側コネクタ２４の後端の中央付近にスペーサ４２が配置された場合と比較して、ケーブル側コネクタ２４の傾きによる抜け方向の変位を確実に阻止することができる。
【００２８】
スペーサ４２が取り付けられた絶縁シート４０が、ＬＣＤ回路基板３４上に設けられた状態で、ケーブル側コネクタ２４を基板側コネクタ２２に接続するときには、図７に示すように、コネクタカバー部４０ａをめくり上げてから、ケーブル側コネクタ２４を基板側コネクタ２２に差し込む。ケーブル側コネクタ２４を基板側コネクタ２２に差し込んだら、コネクタカバー部４０ａをもとの平坦な状態に戻すことで、左右のスペーサ４２はケーブル側コネクタ２４の後端に近接した位置に配置される。
【００２９】
一旦ケーブル側コネクタ２４を基板側コネクタ２２に接続した後に、メインテナンス等によりケーブル側コネクタ２４を基板側コネクタ２２から外す必要がある場合も、コネクタカバー部４０ａをめくり上げてからケーブル側コネクタ２４を把持して引き抜けばよい。
【００３０】
絶縁シート４０は、例えば長手方向の両端部が接着材や粘着剤によりＬＣＤユニット３０のフレームに対して固定されか、あるいは、ＬＣＤ回路基板３４に対して固定されてもよい。あるいは、ＬＣＤユニット３０のフレーム構造内で絶縁シート４０を挟み込んで固定することもできる。
【００３１】
図８は表示部のカバーをＬＣＤユニットに取り付ける前の状態を示す斜視図である。図９は図８における二点鎖線で囲んだ部分を拡大して示す拡大図である。ケーブル側コネクタ２４が基板側コネクタ２２に接続された後、ＬＣＤユニット３０の裏側にカバー１４ａが取り付けられ、表示部１４となる。カバー１４ａがＬＣＤユニット３０に取り付けられると、カバー１４ａの裏面は絶縁シート４０の上面に近接した位置となる。したがって、絶縁シート４０のコネクタカバー部４０ａはカバー１４ａの裏面により押さえられた状態となり、コネクタカバー部４０ａはめくれ上がることはできなくなる。これにより、スペーサ２４が、ケーブル側コネクタ２４の後端に対向した位置に保持され、ケーブル側コネクタ２４の抜けを常に防止することができる。
【００３２】
なお、本実施形態では、コネクタカバー部４０ａをケーブル側コネクタ２４から離間する方向にめくり上げるために、絶縁シート４０に切れ込み４０ｃが設けられているが、必ずしも切れ込み４０ｃを設ける必要は無い。例えば、絶縁シート４０がＬＣＤ回路基板３４の上から用意に取り外すことができるように固定されることとすれば、ケーブル側コネクタ２４を抜き差しする際に、絶縁シート４０全体を取り外すこととすることで、切れ込み４０ｃを絶縁シート４０に設けなくもよい。
【００３３】
次に、突出部としてスペーサ４２が設けられた絶縁シート４０の変形例について説明する。
【００３４】
図１０は絶縁シート４０の変形例におけるコネクタカバー部４０ａを拡大して示す平面図である。図１０に示す変形例では、コネクタカバー部４０ａは、図６に示すコネクタカバー部４０ａより大きく延在しており、接続ケーブル１６の根元を大きく覆うような大きさとなっている。スペーサ４２は、図６に示すコネクタカバー部４０ａと同じ位置に固定されており、上述の実施形態のスペーサ４２と同様に抜け止めの機能を果たす。
【００３５】
本変形例では、コネクタカバー部４０ａが接続ケーブル１６の延在方向に大きく延在した部分に、２個の第２のスペーサ４４が設けられる。第２のスペーサ４４は平面状に整列した接続ケーブル１６の両脇に突出し、接続ケーブル１６の横方向の変位（移動）を阻止する機能を果たす。
【００３６】
接続ケーブル１６を第２のスペーサ４４で挟み込むことで、ケーブル側コネクタ２４から延在する接続ケーブル１６の根元（図１０において二点鎖線で囲んだ部分）から第２のスペーサ４４までの部分が真っ直ぐに接続方向に延在した状態が維持される。接続ケーブル１６が横方向に引っ張られても、横方向の力は第２のスペーサ４４により吸収されるため、接続ケーブル１６の根元（図１０において二点鎖線で囲んだ部分）にかかる横方向の力は抑制される。これにより、ケーブル側コネクタ２４を傾けるように作用する外力が抑制される。これとともに、ケーブル側コネクタ２４内の接続ケーブル１６の根元と端子との接続部にかかる横方向の力が抑制され、接続ケーブル１６とケーブル側コネクタ２４内の端子との接続を良好に維持することができる。
【００３７】
次に、図１１及び１２を参照しながら、絶縁シート４０の他の変形例について説明する。図１１は絶縁シート４０ａの他の変形例を示す平面図である。図１２は図１１に示す絶縁シート４０ａがＬＣＤ回路基板３４の上に配置された状態を示す斜視図である。
【００３８】
図１１に示すように、本変形例による絶縁シート４０のコネクタカバー部４０ａは、長方形の部分から突出して延在しておらず、切れ込み４０ｃのみが設けられている。すなわち、絶縁シート４０の全体は長方形であり、絶縁シート４０に切れ込み４０ｃを形成するだけで、コネクタカバー部４０ａを設けることができる。これにより、絶縁シート４０の形状が簡素化され、絶縁シート４０の加工が容易となる。
【００３９】
次に、図１３乃至１６を参照しながら、絶縁シート４０のさらに他の変形例について説明する。図１３は絶縁シート４０ａのさらに他の変形例を示す斜視図である。図１４は図１３における二点鎖線で囲んだ部分を拡大して示す拡大図である。図１５は図１３に示す絶縁シート４０ａがＬＣＤ回路基板３４の上に配置された状態を示す斜視図である。図１６は図１５における二点鎖線で囲んだ部分を拡大して示す拡大図である。
【００４０】
図１３に示す絶縁シート４０には、スペーサ４２の代わりに絶縁シート４０の一部を切り起こして形成した切り起こし部４６が形成されている。切り起こし部４６は、スペーサ４２と同様に、突出部の一例であり、ケーブル側コネクタ２４の抜け止め部材として機能する。
【００４１】
切り起こし部４６はコネクタカバー部４０ａの一部で、ケーブル側コネクタ２４の後端部に対向する部分を、下方に向けて略９０度折り曲げた部分である。切り起こし部４６を形成すると、切り起こした部分には図１４に示すようにコネクタカバー部４０ａの一部に開口４８が形成される。図１３に示す絶縁シート４０ａをＬＣＤ回路基板３４の上に配置すると、コネクタカバー部４０ａからＬＣＤ回路基板３４の方向に突出した切り起こし部４６が、ケーブル側コネクタ２４の後端の両側に当接する位置に配置される。したがって、切り起こし部４６はスペーサ４２と同様に抜け止めとして機能する。
【００４２】
ここで、切り起こし部４６の切り起こし方向は、ケーブル側コネクタ２４が抜ける方向であり、ケーブル側コネクタ２４が抜ける方向に変位（移動）できないようになっている。これは、切り起こし部４６の切り起こし方向が、切り起こし部４６が切り起こされた状態からもとの位置に戻る方向であると、ケーブル側コネクタ２４が抜ける方向に変位（移動）しようとした際に、切り起こし部４６が切り起こされる前の状態に容易に戻ってしまうおそれがあり、抜け止めとしての機能を十分に発揮できないからである。
【００４３】
ただし、切り起こし部４６の切り起こし方向は、ケーブル側コネクタ２４が抜ける方向に限られず、例えばケーブル側コネクタ２４が抜ける方向に対して垂直な方向とすることもできる。この場合、切り起こし部４６の平面ではなく、縁部がケーブル側コネクタ２４の後端に当接することとなる。
【００４４】
次に、本発明の第２実施形態について説明する。
【００４５】
図１７は第２実施形態によるノートパソコン（電子機器）の表示部の分解斜視図である。第２実施形態によるノートパソコンは、図１に示すノートパソコンと同じ構成を有するが、スペーサ２４が絶縁シーと４０ではなくカバー１４ａの裏面に取り付けられていることが異なる。なお、図１７は、ＬＣＤユニット３０を表示画面側から見た斜視図であり、例えば図８に示された斜視図とは反対の方向から見た斜視図である。
【００４６】
本実施形態では、絶縁シート４０自体が設けられていないか、あるいは、絶縁シート４０にコネクタカバー部４０ａが設けられていないものとする。これにより、ＬＣＤユニット３０にカバー１４ａを取り付けて表示部１４としたときに、カバー１４ａの裏面（内面）がケーブル側コネクタ２４に対向することとなる。したがって、カバー１４ａは、第１実施形態における絶縁シート４０と同様に、ケーブル側コネクタ２４に近接した位置に配置される部材に相当する。そこで、本実施形態では、カバー１４ａの裏面（内面）で、ケーブル側コネクタ２４の後端に対応する位置に突出部としてのスペーサ２４が固定される。
【００４７】
図１８は図１７に示すＬＣＤユニット３０にカバー１４ａが組み付けられて形成された表示部１４の斜視図である。図１８において、表示部１４の内部の構成が点線で示されている。
【００４８】
本実施形態による表示部１４の内部では、カバー１４ａの裏側から突出する２個のスペーサ４２が、基板側コネクタ２２に接続されたケーブル側コネクタ２４の後端に当接するように配置されている。したがって、第１実施形態と同様に、２個のスペーサ４２は、ケーブル側コネクタ２４の後端側の左右両側の変位（移動）を阻止する。これにより、平面状に整列した接続ケーブル１６により、抜け方向から傾いた方向に外力が作用してケーブル側コネクタ２４が左右いずれかに傾くような外力が作用しても、傾いて変位しようとしている部分の近傍にスペーサ４２が配置されているので、ケーブル側コネクタ２４の傾きが阻止される。したがって、例えばケーブル側コネクタ２４の後端の中央付近にスペーサ４２が配置された場合と比較して、ケーブル側コネクタ２４の傾きによる抜け方向の変位を確実に阻止することができる。
【００４９】
以上のように、本明細書は以下の事項を開示する
（付記１）
基板に取り付けられた基板側コネクタと、
整列した複数の接続ケーブルの一端側に設けられ、前記基板側コネクタに差し込まれて接続されるケーブル側コネクタと、
前記基板側コネクタに前記ケーブル側コネクタが接続された状態で、前記ケーブル側コネクタに沿って近接した位置に配置される部品と、
前記部品から前記ケーブル側コネクタの差し込み方向後ろ側端部に対向する位置に突出する一対の突出部と
を有する電子装置。
（付記２）
付記１記載の電子装置であって、
前記突出部の一方は、前記ケーブル側コネクタの差し込み方向後ろ側端部の一端側に近接して配置され、前記突出部の他方は、前記ケーブル側コネクタの差し込み方向後ろ側端部の他端側に近接して配置される電子装置。
（付記３）
付記１又は２記載の電子装置であって、
前記部品は、前記基板に搭載された電気部品を保護する絶縁シートである電子装置。
（付記４）
付記３記載の電子装置であって、
前記絶縁シートの前記基板側コネクタと前記ケーブル側コネクタを覆うコネクタカバー部に、一対の切れ込みが形成された電子装置。
（付記５）
付記３又は４記載の電子装置であって、
前記突出部は、前記絶縁シートに取り付けられた部材である電子装置。
（付記６）
付記４又は５記載の電子装置であって、
前記コネクタカバー部は、前記差し込み方向とは反対方向に延在し、前記突出部は前記コネクタカバー部に固定されている電子装置。
（付記７）
付記６記載の電子装置であって、
前記コネクタカバー部は、前記差し込み方向とは反対方向に前記接続ケーブルを覆うように延在し、
前記接続ケーブルを挟み込むように一対の第２の突出部が前記コネクタカバー部から突出する
電子装置。
（付記８）
付記３記載の電子装置であって、
前記突出部は、前記絶縁シートを切り起こして形成した部分である電子装置。
（付記９）
付記１又は２記載の電子装置であって、
前記部品は、前記基板を覆うカバーである電子装置。
（付記１０）
付記９記載の電子装置であって、
前記突出部は、前記カバーに取り付けられた部材である電子装置。
（付記１１）
コネクタが搭載された基板を覆うように配置される絶縁シートであって、
前記コネクタを覆う部分に、前記コネクタの差し込み方向後ろ側端部に対向する位置に突出する一対の突出部が設けられた絶縁シート。
（付記１２）
付記１１記載の絶縁シートであって、
前記コネクタを覆う部分は、一対の切れ込みにより他の部分から分離して変位可能である絶縁シート。
【符号の説明】
【００５０】
１０  ノートパソコン
１２  本体部
１２ａ  主回路基板
１２ｂ  コネクタ
１４  表示部
１４ａ  カバー
１６  接続ケーブル
１８  ヒンジ部
２０  コネクタ
２２  基板側コネクタ
２４  ケーブル側コネクタ
３０  ＬＣＤユニット
３２  ＬＣＤ
３４  ＬＣＤ回路基板
４０  絶縁シート
４０ａ  コネクタカバー部
４０ｂ  側端
４０ｃ  切れ込み
４２  スペーサ
４４  第２のスペーサ
４６  切り起こし部
【図２】
2014119899.tif 000003
【図４】
2014119899.tif 000004
【図６】
2014119899.tif 000005
【図７】
2014119899.tif 000006
【図９】
2014119899.tif 000007
【図１０】
2014119899.tif 000008
【図１１】
2014119899.tif 000009
【図１３】
2014119899.tif 000010
【図１４】
2014119899.tif 000011
【図１６】
2014119899.tif 000012
【図１】
2014119899.tif 000013
【図３】
2014119899.tif 000014
【図５】
2014119899.tif 000015
【図８】
2014119899.tif 000016
【図１２】
2014119899.tif 000017
【図１５】
2014119899.tif 000018
【図１７】
2014119899.tif 000019
【図１８】
2014119899.tif 000020